(57)【要約】【課題】尿を便器用ゲームシールに当てることに集中することにより、周囲に尿を散らすことなく、清潔に使用できると共に、尿の温度により、液晶（示温インク）の色や文字・数字等が変化し、その日の体調（ストレス状態）や集中力が解かり、ゲーム感覚でチェックできる便器用ゲームシールを提供する。【解決手段】尿を当てることにより、その温度で変化する表示部と、便器に取り付ける取付部とからなることを特徴とする。【選択図】　　図１
2004117336.tif 000002
【特許請求の範囲】
【請求項１】
尿を当てることにより、その温度で変化する表示部と、便器に取り付ける取付部とからなることを特徴とする便器用ゲームシール。
【請求項２】
表示部が、液晶であることを特徴とする請求項１記載の便器用ゲームシール。
【請求項３】
表示部が、示温インクであることを特徴とする請求項１記載の便器用ゲームシール。
【請求項４】
表示部が、色、広告、宣伝、図柄、模様、文字、数字等を表示してなることを特徴とする請求項１、２又は３記載の便器用ゲームシール。
【請求項５】
表示部の表面に、透明な保護カバーを設けてなる請求項１、２、３又は４記載の便器用ゲームシール。
【請求項６】
表示部が、摂氏３５℃から摂氏３８℃の範囲内で変化することを特徴とする請求項１、２、３、４又は５記載の便器用ゲームシール。
【発明の詳細な説明】
【０００１】
【発明の属する技術分野】
本発明は、主に男性用の小便器に取り付けて使用するもので、尿を当てることによりその日のストレス度や集中力を色や文字、数字等で表現し、かつゲーム感覚を有する便器用ゲームシールに関するものである。
【０００２】
【従来の技術】
従来の技術としては、指で液晶シートを押え、色の変化を見るストレスチェッカーなるものがある。
これは、体温が低い（ストレスが大きい）と黒色で、体温が高くなるにつれ、緑から青色に変化し、青色がストレスが小さいと判断されるものが一般に市販されている。
また、便器に使用されるものとして、実用新案登録第３０７５４１４号記載のような、便器等の商品に着脱自在に取り付けられる装飾体と、該装飾体に表示される広告もしくは模様等の表示欄とを備える。装飾体は、超越紙、水引、パルプ材にて成形され、少なくとも表面に撥水、防水もしくは抗菌等の表面処理が施される。装飾体の裏面には取付ピンを介して便器の排水孔内に支持される。また、装飾体を壁面（立上面）に取り付ける際は、前記取付ピンに代えて同装飾体の裏面に耐水性糊面もしくは吸盤を形成しても良い。表示欄は、広告、宣伝、図柄、模様等からなり、使用目的に応じて、例えば、メンテナンスの日時、担当者名、契約番号等が記載されるように装飾体の表面に表示される商品装飾材が開示されている。
【０００３】
しかしながら、上記前者においては、指を押え付けて単にストレス度を判定するもので本質的な用途が違い、単に色の変化のみで文字や数字等の表示がなく、ゲーム性に劣り、保護カバーも有していないため、尿を当てて使用することはできない。
また、上記後者の場合は、単に便器に取り付ける装飾品であり、色の変化や文字等の変化を表示するものではなく、ストレス度チェックやゲーム性等を有するものではない。
【０００４】
【発明が解決しようとする課題】
本発明は、上記の各問題点に鑑みなされたもので、尿を便器用ゲームシールに当てることに集中することにより、周囲に尿を散らすことなく、清潔に使用できると共に、尿の温度により、液晶（示温インク）の色や文字・数字等が変化し、その日の体調（ストレス状態）や集中力が解かり、ゲーム感覚でチェックできる便器用ゲームシールを提供することを目的とする。
【０００５】
【課題を解決するための手段】
上記課題を解決するために成された本発明による便器用ゲームシールは、尿を当てることによりその温度で変化する表示部と、便器に取り付ける取付部とからなること。また、表示部が、液晶であること。表示部が、示温インクであること。さらに、表示部が、色、広告、宣伝、図柄、模様、文字、数字等を表示してなること。表示部の表面に、透明な保護カバーを設けてなること。その上、表示部が、摂氏３５℃から摂氏３８℃の範囲内で変化することを特徴とする。
【０００６】
【発明の実施の形態】
以下、本発明の便器用ゲームシールを図面に基づいて詳細に説明する。
便器用ゲームシール１は、尿を当てることにより、その温度で変化する表示部２と、便器に取り付ける粘着剤による取付部３と、表示部２の特に表面を保護するポリプロピレンあるいはナイロン等による透明な保護カバー４（液晶が化学反応を起こさず、防水性のあるものが望ましい）とから構成されている。
上記表示部２は、液晶を使用するものである。
液晶としては、高純度のコレステロールを化学処理してできた液晶素材数種を混合し、これをマイクロカプセルに封入して、バインダーで結合させたもので、温度の変化を敏感にとらえ、設定された温度範囲（例えば摂氏３５℃から摂氏３８℃の範囲）内で、温度の上昇につれ色の変化（例えば黒→赤→緑→青等）を表示できる。
【０００７】
表示部２を液晶で加工した場合の例として、摂氏３５℃から摂氏３７℃までを４分割に変化させるとして、摂氏３５．５℃以下の場合黒色とし、ストレス状態と判断する。
つぎに、摂氏３５．５℃から摂氏３６℃までを赤色とし、やや緊張状態と判断、摂氏３６℃から摂氏３６．５℃までを緑色とし、平静・普通状態と判断、摂氏３６．５℃から摂氏３７℃までを青色とし、ノンストレス状態とする。
なお、上記の温度分布は１例であり、設定温度は変更できるものとする。
【０００８】
上記便器用ゲームシール１の使用例としては、男性用の小便器Ｄの内側中心やや下方に便器用ゲームシール１の取付部３を貼り付ける。
この状態で、尿を便器用ゲームシール１に当てることにより尿の温度により上記のように表示部２の色が変化し、その日（その時）のストレス状態が簡易的に解かるものである。
また、便器用ゲームシール１に尿が当らなければ色も変化せず、集中力も解かるものである。
【０００９】
つぎに、表示部２２を示温インクで加工した場合の例として、便器用ゲームシール２１は示温インクによる表示部２２の前面に、透明な保護カバー２４を設けると共に、後面に文字（この実施例の場合、当り！！）を印刷した印刷体２５を設け、印刷体２５の後面に粘着剤による取付部２３を設けてなるものである。
【００１０】
この便器用ゲームシール２１の表示部２２は、例えば指定温度（摂氏３６℃）までは赤色を表示し、指定温度より高くなった時点で表示部２２が透明になり、印刷体２５に印刷した文字（当り！！）が浮き出るもので、ストレスチェック・集中力チェックと同時にゲーム感覚で用をたすことができる。
【００１１】
便器用ゲームシール３１は、透明な保護カバー３４を表示部３２より大きくし、裏面に粘着剤３４ａを設け、表示部３２を確実に保護してなるものである。
【００１２】
なお、上記各実施例の便器用ゲームシールは円形をしているが、ハート形やダイヤ形、あるいは乗物や花等の形状にすることも一考であり、必要に応じて決めればよい。
また、大きさも特に限定することはなく、取付位置も中心やや下方に限定しない。
さらに、指定温度や色等も、必要に応じて選定すればよい。
さらにまた、文字や数字等はその日の運勢等を表示する占い的なものでもよい。
【００１３】
【発明の効果】
１）、尿を便器用ゲームシールに当てることに集中することにより、小便器の周囲に尿を散らすことなく、清潔に使用することができ、ゲーム感覚で用をたすことができる。
２）、液晶による表示部により、指定された温度範囲で色が変化し、その日（そ
の時）のストレス状態や集中力が簡易的に解かる。
３）、示温インクによる表示部により、指定温度以上になると印刷した文字等が浮かび上がり、特に何が出てくるか解からないため、ゲーム性が高く、面白い
。
【図面の簡単な説明】
【図１】本発明の第１実施例を示す便器用ゲームシールの正面図。
【図２】本発明の第１実施例を示す便器用ゲームシールの縦断側面図。
【図３】本発明の第１実施例を示す便器用ゲームシールの色の変化を示す状態図。
【図４】本発明の第１実施例を示す便器用ゲームシールの使用状態図。
【図５】本発明の第２実施例を示す便器用ゲームシールの縦断側面図。
【図６】本発明の第２実施例を示す便器用ゲームシールの使用時の変化を表す流れ図。
【図７】本発明の第３実施例を示す便器用ゲームシールの正面図。
【符号の説明】
１−−−便器用ゲームシール
２−−−表示部
３−−−取付部
４−−−保護カバー
Ｄ−−−小便器
【図１】
2004117336.tif 000003
【図２】
2004117336.tif 000004
【図３】
2004117336.tif 000005
【図４】
2004117336.tif 000006
【図５】
2004117336.tif 000007
【図６】
2004117336.tif 000008
【図７】
2004117336.tif 000009